(57)【要約】【課題】洗濯する際のカーテン布地の脱着作業、特に、取付け作業が簡単かつ安全にしかも時間を掛けずに能率良く行なえるようにしたローマンシエードとリッセトコード及びローマンシエードにおけるカーテン生地の脱着方法を提供する。【解決手段】吊り杆１にカーテン生地２を着脱自在に装着し、吊り杆１から垂下される昇降コード９をカーテン生地２の一側面の上下端部間に列設した複数のガイド環１９に挿通すると共にその下端をカーテン生地２の下端部に着脱自在に取着し、前記昇降コード９を引きまたは戻すことによりカーテン生地２が上下に伸縮するようにし、昇降コード９の下端にガイド環１９を通過できる係合部２１を設け、先端にガイド環１９を通過できる係合部２７を設けてリセットコード２５を成形してなり、リセットコード２５の係合部２７を昇降コード９の係合部２１に係脱自在に係合させて互いに連結し得るようにした。【選択図】図６
2005287740.tif 000002
【特許請求の範囲】
【請求項１】
水平に設置された吊り杆と、前記吊り杆に着脱自在に装着されるカーテン生地と、前記吊り杆から垂下されると共に前記カーテン生地の一側面であってその上下端部間に列設した複数のガイド環に挿通され、その下端を前記カーテン生地の下端部に着脱自在に取着した昇降コードとからなり、前記昇降コードの下端には前記各ガイド環を通過できかつ係脱自在に開閉し得る係合部を設けたことを特徴とするローマンシエード。
【請求項２】
所定の長さを有すると共にその先端に前記各ガイド環を通過できかつ前記昇降コードの係合部に係脱自在に係合し得る係合部を備えたことを特徴とするリセットコード。
【請求項３】
水平な吊り杆に着脱自在に装着されるカーテン生地の一側面の上下端部間に列設した複数のガイド環に挿通される昇降コードの下端に所定長さのリセットコードを連結し、前記ガイド環を前記昇降コード側から前記リセットコード側へ摺動し、次に、前記リセットコードが前記各ガイド環に挿通されたままの状態で前記昇降コードの下端から前記リセットコードの先端を解いてカーテン生地を前記吊り杆から取り外すようにし、また、前記リセットコードが前記各ガイド環に挿通されたままの状態で該リセットコードの先端を前記昇降コードの下端に連結し、前記各ガイド環を前記リセットコード側から前記昇降コード側へ摺動して前記カーテン生地を前記吊り杆に取り付け、次いで、前記昇降コードの下端から前記リセットコードの先端を解くようにしたことを特徴とするローマンシエードにおけるカーテン生地の脱着方法。
【発明の詳細な説明】
【技術分野】
【０００１】
この発明は、吊り杆に着脱自在に装着したカーテン生地が該吊り杆から垂下される昇降コードを引きまたは戻すことにより上下に伸縮するようにしたローマンシエードと該ローマンシエードに使用されるリセットコード及びカーテン生地の脱着方法に関するものである。
【背景技術】
【０００２】
従来のローマンシエードには、昇降コードをチエーンと連動する巻取りドラムに巻き取るようにしたチエーン式と、昇降コードをそのままカーテン生地の一側に引き出すようにしたコード式とが有る。この内、チエーン式のローマンシエードは、水平に設置した吊り杆にカーテン生地が着脱自在に装着されている。また、この吊り杆内に配置した複数の巻取りドラムに昇降コードが巻かれ、これらは下方に垂下している。更に、各昇降コードはカーテン生地の一側面であって上下に列設したガイド環に挿通されると共にその下端がカーテン生地の下部に取着されている。そして、前記巻取りドラムを正逆回転させることによりカーテン生地が上下に伸縮できるようになっている（例えば、特許文献１参照。）。
【特許文献１】実開平５−３４９８６号公報(考案の詳細な説明の段落０００４〜０００９、図１)
【発明の開示】
【発明が解決しようとする課題】
【０００３】
ところで、前記特許文献１のようなローマンシエードは長く使用していると、埃や手垢が付着することによりカーテン生地が汚れて見栄えも悪くなることから、カーテン生地を吊り杆から外して定期的に洗濯する必要がある。
【０００４】
しかしながら、前記吊り杆から垂下される昇降コードが縦に列設した複数のガイド環にそれぞれ挿通されており、また、昇降コードが取着されるカーテン生地の一側面は窓側を向くようになっている。このため、吊り杆からカーテン生地を取り外す場合は、各ガイド環から昇降コードを引き抜くのみで済むので簡単であが、逆に、洗濯後のカーテン生地を吊り杆に取り付ける場合は、窓とカーテン生地との間の狭い隙間に入って前記列設した複数のガイド環に昇降コードを逐一手で挿通しなければならない。しかも、各ガイド環は外径が１ｃｍ程度と比較的小さく指先では扱い難い。特に、昇降コードが５本または６本と多数本設けられていると、カーテン生地の脱着作業に煩雑で面倒な手間と多くの時間が掛かるという課題があった。
【０００５】
また、これら昇降コードを各ガイド環に挿通するのは、先に、カーテン生地を吊り杆に装着してから、例えば脚立または踏み台を使った高所での長い作業になるので、その作業中にバランスを崩して落下し怪我をしてしまう危険性があるといった重大な課題もある。
【０００６】
そこで、本発明は上記課題を解決すべくなされたもので、洗濯する際のカーテン布地の脱着作業、特に、その取付け作業が簡単かつ安全に、しかも、時間を掛けずに能率良く行なえるようにしたローマンシエードとリセットコード及び該ローマンシエードにおけるカーテン生地の脱着方法を提供することを目的とするものである。
【課題を解決するための手段】
【０００７】
かかる目的を達成するため本発明に係るローマンシエードは、水平に設置された吊り杆と、吊り杆に着脱自在に装着されるカーテン生地と、吊り杆から垂下されると共にカーテン生地の一側面であってその上下端部間に列設した複数のガイド環に挿通され、その下端をカーテン生地の下端部に着脱自在に取着した昇降コードとからなり、昇降コードの下端には前記各ガイド環を通過できかつ係脱自在に開閉し得る係合部を設けた構成からなる。
【０００８】
また、リセットコードは、所定の長さを有すると共にその先端に前記各ガイド環を通過できかつ昇降コードの係合部に係脱自在に係合し得る係合部を備えた構成からなる。
【０００９】
更に、ローマンシエードにおけるカーテン生地の脱着方法は、水平な吊り杆に着脱自在に装着されるカーテン生地の一側面の上下端部間に列設した複数のガイド環に挿通される昇降コードの下端に所定長さのリセットコードを連結し、ガイド環を昇降コード側からリセットコード側へ摺動し、次に、リセットコードが各ガイド環に挿通されたままの状態で昇降コードの下端からリセットコードの先端を解いてカーテン生地を吊り杆から取り外すようにし、また、前記リセットコードが各ガイド環に挿通されたままの状態で該リセットコードの先端を昇降コードの下端に連結し、各ガイド環をリセットコード側から昇降コード側へ摺動してカーテン生地を吊り杆に取り付け、次いで、昇降コードの下端からリセットコードの先端を解くようにした。
【００１０】
カーテン生地の脱着方法を具体的に説明すると、まず、各昇降コード下端の係合部にそれぞれリセットコードの係合部を係合して、昇降コードとリセットコードを連結する。この状態で、吊り杆からカーテン生地を取り外し、次いで、各ガイド環を昇降コード側からリセットコード側へと摺動させる。カーテン生地の移動が終われば、昇降コード下端の係合部からリセットコード先端の係合部を外す。リセットコード先端の係合部は、例えば最上端のガイド環に係合させておく。また、リセットコード基端側はリセットコードの保持板に巻回しておき、その保持板をカーテン生地の下端縁に係止しておく。このようにして、吊り杆から取り外したカーテン生地をリセットコードが付いたまま洗濯する。
【００１１】
洗濯して綺麗になった後のカーテン生地を吊り杆に取り付けるには、再び、昇降コード下端の係合部に前記リセットコード先端の係合部を係合し、更に、吊り杆にカーテン生地を吊り下げる。この状態で、リセットコードを引き下げて各ガイド環をリセットコード側から昇降コード側へ摺動させ、カーテン生地を昇降コード側へ移動させる。次いで、リセットコード先端の係合部を昇降コード下端の係合部から外すと共に昇降コード下端の係合部を最下端のガイド環に係合させる。
【００１２】
このように、リセットコードの先端を昇降コードの下端に連結させることにより、カーテン生地が簡単に取り外せ、また、窓とカーテン生地との間の狭い隙間に入らなくとも簡単に取り付けることができる。しかも、吊り杆にカーテン生地を吊下げるには脚立または踏み台を使用した高所での作業になるが、それ以後の作業は床に立ったまま行なえ安全である。
【発明の効果】
【００１３】
本発明は、昇降コードの下端にガイド環を通過できかつ係脱自在に開閉し得る係合部を設け、一方、リセットコードの先端に同じく前記ガイド環を通過できかつ前記昇降コードの係合部と係脱自在に係合する係合部を設けるようにしたので、洗濯する際のカーテン生地の脱着作業、特に、その取付け作業が簡単かつ安全に、しかも、時間を掛けずに能率良く行なえるという効果が有る。
【発明を実施するための最良の形態】
【００１４】
以下、本発明に係るローマンシエードとリセットコード及び該ローマンシエードにおけるカーテン生地の脱着方法の実施の形態について説明する。一般に、ローマンシエードにはチエーン式とコード式の二種類有り、本発明はいずれのローマンシエードにも適用できるが、その一例としてチエーン式のローマンシエードについて詳細に説明する。図１は本発明に係るローマンシエードの斜視図、図２は吊り杆部位の正面断面図、図３は図２のＸ−Ｘ線断面図、図４は図２のＹ−Ｙ線断面図をそれぞれ示す。ローマンシエードＲは、室内の窓枠等の壁の開口部（図示せず。）に装着され、主としてその開口部の上縁に水平に取り付けられる吊り杆１と、上端縁を該吊り杆１の一側面に剥離自在に接合して装着されるカーテン生地２とからなる。
【００１５】
吊り杆１は、金属製であって下方が開口３した横断面門型をなす柱状に成形され、側壁４の一側面にその長手方向に沿って雄型の貼り合せファスナー５ａが貼着されている。一方、吊り杆１内には、その中央の長手方向に沿って回動軸６が水平に配置される。この回動軸６は、その横断面が正六角形状をしており、両端部が吊り杆１内に取り付けられた一対の軸受部７，７に軸支され、自在に回転し得るようになっている。また、回動軸６には、ほぼ等間隔に位置して四個の巻取りドラム８が取着されている。各巻取りドラム８にカーテン生地２を上下に伸縮させるための昇降コード９が止着され、該各昇降コード９を各巻取りドラム８に巻取りまたは巻戻しできるようになっている。
【００１６】
各巻取りドラム８は、軸孔１０の内周面が回動軸６における正六角形の外周面に当接するようになっており、これによって、回動軸６の回動と共に巻取りドラム８が回動する。また、各巻取りドラム８は、吊り杆１の内周面に固定される受承枠１１内に配置され、巻取りドラム８両端の円筒部８ａが受承枠１１両端の軸受凹部１１ａに嵌入して支持される。このように、受承枠１１で巻取りドラム８を支持するのは、昇降コード９を介して巻取りドラム８には大きい荷重が加わることからり、これによって回動軸６が無用に撓まないようにするためである。
【００１７】
一方の軸受部７の外側であって回動軸６の端部にスプロケット１２が固着されている。スプロケット１２の外周面には嵌合凹部１３が周設され、各嵌合凹部１３に数珠状の多数の塊状部１４が順に嵌り込む無端状のチエン１５が掛けられている。スプロケット１２は周囲を両側が開放するカバー１６により覆われ、スプロケット１２に掛けられたチエン１５はカーテン生地２の外側に位置するようになっている。
【００１８】
カーテン生地２は、吊り杆１の長手方向の長さ寸法とほぼ同じ横幅寸法を有する縦長長方形状に成形され、所望の生地が選択して使用される。そして、一側面すなわち外側面の上端縁に沿って、前記吊り杆１の一側面に貼着される雄型の貼り合せファスナー５ａに剥離自在に貼着される雌型の貼り合せファスナー５ｂが固着されている。また、下端部にはその長手方向に沿って袋状部１７が成形され、該袋状部１７にカーテン生地２が皺のできないように綺麗に張られるためのウエイトバー１８が内装されている。
【００１９】
また、カーテン生地２の外側面の上下端部間に、前記各昇降コード９に対応位置して複数の円形状のガイド環１９を縦方向に列設したガイド環群２０が複数本設けられている。詳しくは、各ガイド環１９は外径が１ｃｍ程度であり、縦長のテープ布（図示せず。）に等間隔に取着され、該テープ布をカーテン生地２に縫い付けることにより取り付けられる。各ガイド環群２０の各ガイド環１９はすべてほぼ水平に保持され、昇降コード９が通過し易くなっている。
【００２０】
前記昇降コード９は、複数のガイド環１９に挿通されると共にその下端がカーテン生地２の下部、すなわち、最下端のガイド環１９に係脱自在に係合して取り付けられる。また、昇降コード９は、カーテン生地２の縦寸法よりも長く成形されるが、例えば最大長く伸びたとき、カーテン生地２の縦寸法とほぼ同じ寸法になるようにしても良い。そして、昇降コード９の下端には、係脱自在に開閉して後記するリセットコード２５先端の第二係合部２７と互いに係合する第一係合部２１が設けられている。
【００２１】
この第一係合部２１は、例えば細い針金を楕円状に屈曲して成形され、そのほぼ中央部の一方の針金を切断してその一方を掛止部２２とし、また、前記中央部に両端側が各針金に巻き付くように折り曲げられる固定板２３を設けて成形される。そして、掛止部２２が一方の捲付き部２４に係脱自在に係止できるようになっている。
【００２２】
図５はリセットコードの斜視図である。このリセットコード２５は、カーテン生地２を洗濯する場合、吊り杆１からカーテン生地２を脱着する際に使用するものであり、所定長さ、例えばカーテン生地２の縦寸法と同等かまたはこれより長い寸法が好ましい。そして、リセットコード２５の基端側が保持板２６に幾重にも巻回され、先端には前記昇降コード９下端の第一係合部２１と同じ構造の第二係合部２７が設けられている。よって、同一部位は同一番号を付して詳しい説明は省略する。これら第一・第二係合部２１，２７はいずれも前記ガイド環１９を容易に通過できる大きさからなる。前記保持板２６は、その一側にリセットコード２５の基端部を差し込む差込部２８が設けられ、他側には掛止部２９が設けられている。このリセットコード２５は通常は使用しないことから所定の場所に保管される。
【００２３】
本発明に係るローマンシエードＲは上記構成からなり、チエン１５を正逆回転させることによって各巻取りドラム８が回動し、各昇降コード９が巻取りまたは巻戻しされ、これによりカーテン生地２が上下に伸縮するようになっている。
【００２４】
ここで、カーテン生地２の脱着方法を洗濯する場合について説明する。まず、図６に示すようにカーテン生地２を吊り杆１に吊下げたままで、各昇降コード９下端の第一係合部２１を各最下端のガイド環１９から外して下方へ引き出し、その各第一係合部２１と各リセットコード２５先端の第二係合部２７とを係合して連結させる。そして、リセットコード２５を所定の長さ、すなわちカーテン生地２の縦寸法とほぼ同じ長さに伸ばしておく。
【００２５】
次に、袋状部１７からウエイトバー１８を取り出しておき、この状態で雄型の貼り合せファスナー５ａと雌型の貼り合せファスナー５ｂを引き剥がし、各ガイド環１９を昇降コード９側からリセットコード２５側へ摺動させて図６矢印に示すようにカーテン生地２を下方へ引き下げると共にリセットコード２５側へ移動させる。この際、昇降コード９とリセットコード２５とは第一・第二係合部２１，２７により連結されているので、各ガイド環１９がスムースに摺動して図７に示すようにカーテン生地２がリセットコード２５側へ簡単に移動できる。カーテン生地２を移動させた後は、各第二係合部２７を各第一係合部２１から外し、各最上端のガイド環１９に係合させると共に各保持板２６の掛止部２９をカーテン生地２の下縁部に差し込んでおく。このようにして吊り杆１から取り外されたカーテン生地２は、リセットコード２５を付けたまま洗濯される。
【００２６】
洗濯してカーテン生地２が綺麗になった後は、図８に示すように各第二係合部２７を各最上端のガイド環１９から外し、再び、各昇降コード９下端の第一係合部２１に係合する。更に、雄型の貼り合せファスナー５ａに雌型の貼り合せファスナー５ｂを貼り合せて吊り杆１にカーテン生地２を取り付ける。この状態で、各リセットコード２５を引き下げ、各ガイド環１９をリセットコード２５側から昇降コード９側へ摺動させてカーテン生地２を昇降コード９側へ移動させる。カーテン生地２の移動後は、各リセットコード２５先端の第二係合部２７を各昇降コード９下端の第一係合部２１から取り外すと共に各第一係合部２１を最下端の各ガイド環１９に係合させておく。
【００２７】
この場合も、昇降コード９とリセットコード２５が第一・第二係合部２１，２７により連結されているので、各ガイド環１９がスムースに摺動してリセットコード２５側から昇降コード９側へのカーテン生地２の移動が簡単に行なえる。カーテン生地２が装着された後に、カーテン生地２下端部の袋状部１７にウエイトバー１８を差し込むことにより、図９に示すように吊り杆１にカーテン生地２が元のように取り付けられることになる。このように、洗濯する際のカーテン生地２の脱着作業、特に、その取付け作業では、各ガイド環２０に各昇降コード９を逐一手で挿通する必要がないことから作業が簡単に行なえる。また、雄・雌貼り合せファスナー５ａ，５ｂを貼り合せまたは引き剥がすときのみ脚立または踏み台に乗り、後はほとんど床面で作業ができることから安全である。しかも、これら作業は、窓とカーテン生地２との間の狭い隙間に入らなくともでき、煩雑で面倒な手間や多くの時間が掛からず能率良く行なえる。
【００２８】
本実施の形態では昇降コード９を４本使用したが、これはカーテン生地２の横幅間の寸法により決められ、横幅が広くなると昇降コード９を５本、６本と増やしてゆく。また、係合部としての前記第一係合部２１と第二係合部２７は一例であり、これら構造のものに限定されるものではなく、他に、例えば第一・第二係合部２１，２７は開閉機構を備えていれば、単に環状の部材であっても良い。すなわち、第一・第二係合部２１，２７は共に開閉機構を有し、ガイド環１９を通過できる大きさであれば良い。
【図面の簡単な説明】
【００２９】
【図１】本発明に係るローマンシエードの斜視図。
【図２】吊り杆部位の正面断面図。
【図３】図２のＸ−Ｘ線断面図。
【図４】図２のＹ−Ｙ線断面図。
【図５】リセットコードの斜視図。
【図６】カーテン生地をリセットコード側へ移動させるときの要部の拡大図。
【図７】カーテン生地がリセットコード側へ移動された状態を示す全体図。
【図８】カーテン生地を昇降コード側へ移動させるときの要部の拡大図。
【図９】カーテン生地が吊り杆に取り付けられた状態の全体図。
【符号の説明】
【００３０】
１            吊り杆
２            カーテン生地
９            昇降コード
１９          ガイド環
２１          係合部（第一係合部）
２５          リセットコード
２７          係合部（第二係合部）
Ｒ            ローマンシエード
【図１】
2005287740.tif 000003
【図２】
2005287740.tif 000004
【図３】
2005287740.tif 000005
【図４】
2005287740.tif 000006
【図５】
2005287740.tif 000007
【図６】
2005287740.tif 000008
【図７】
2005287740.tif 000009
【図８】
2005287740.tif 000010
【図９】
2005287740.tif 000011